(57)【要約】【課題】軸杆受けにがた付き防止の弁を付け飛躍的に品質を向上させ、庖丁の薄い刃先をえぐるように削り落し、庖丁の切れ味を極めて良好ならしめる庖丁研ぎ器を提供する。【解決手段】原型がハガネ材で、表面部２もしくは傾斜面部３にダイヤモンド粉末をコーティングする截頭円錐形状にして、傾斜面部３の傾斜角度が外側方に稍膨出する曲線形状の研磨砥石１と、原型がハガネ材で、表面部５に超硬クロームメッキ処理を施した截頭円錐形状にして、傾斜面部６の傾斜角度が外側方に稍膨出する曲線形状のゲージとなる砥石４とを形成し、両砥石１、４を対向状にセットし、前記両砥石１、４の稍膨出する傾斜面部３、６との間に形成されるハイレグ曲線形状の庖丁嵌挿部２０を有する庖丁研ぎ部ａを、握持体ｂ内の支持部８に握持部ｂの長手方向に対し若干の傾斜角度をもって回転自在に装着した。【選択図】       図３
2010110885.tif 000002
【特許請求の範囲】
【請求項１】
原型がハガネ材で、且表面部もしくは傾斜面部にダイヤモンド粉末をコーティングする截頭円錐形状にして、且前記傾斜面部の傾斜角度が外側方に稍膨出する曲線形状の研磨砥石と、原型がハガネ材で、且表面部に超硬クロームメッキ処理を施した截頭円錐形状にして、且傾斜面部の傾斜角度が外側方に稍膨出する曲線形状のゲージとなる砥石とを形成し、前記両砥石を対向状にセットし、且セットによって形成される前記両砥石の稍膨出する傾斜面部との間に形成されるハイレグ曲線形状の庖丁嵌挿部を有する庖丁研ぎ部を、握持体内の支持部に握持部の長手方向に対し若干の傾斜角度をもって回転自在に装着せしめることを特徴とする庖丁研ぎ器。
【請求項２】
前記庖丁研ぎ部の両砥石を取着する握持部の嵌挿部付き支持部の間は、切欠状の孔部を設け、且前記孔部を遮蔽する下方蓋部を前記握持体に嵌脱自在に取着することを特徴とする請求項１に記載の庖丁研ぎ器。
【請求項３】
前記庖丁研ぎ部の前記両砥石は、前記傾斜面部を対向状にして、且前記両砥石の中心に軸杆を貫通せしめ、前記軸杆に前記両砥石の裏面部に密着するようにナットを螺入して前記両砥石を固着せしめることを特徴とする請求項１又は同２に記載の庖丁研ぎ器。
【請求項４】
前記庖丁研ぎ部は、前記両砥石の軸杆を前記握持部の長手方向に対し３０度前後の角度で右肩上りとして回動自在に取着せしめることを特徴とする請求項１又は同２又は同３に記載の庖丁研ぎ器。
【請求項５】
前記庖丁研ぎ器を構成する握持体と、この握持体の上方にスライドする両押え部が、側面よりみて截頭三角のピラミッド形状にすることを特徴とする請求項１又は同２又は同３又は同４に記載の庖丁研ぎ器。
【請求項６】
前記庖丁研ぎ部の軸杆を嵌挿する支持部に、前記軸杆のがた付き防止弁を突設せしめることを特徴とする請求項１又は同２又は同３又は同４又は同５に記載の庖丁研ぎ器。
【発明の詳細な説明】
【技術分野】
【０００１】
本発明は、庖丁、ナイフ等の刃物の刃を梃子の原理で刃を砥ぐ庖丁研ぎ器の分野に関するものである。
【背景技術】
【０００２】
従来庖丁研ぎ器ａとして、本件出願人が所有する特許第３９９１１５８号（庖丁研ぎ器）があるが、この特許の庖丁研ぎ器ａを構成する庖丁研ぎ部８の研磨砥石１とゲージとなる砥石３の形状は、両砥石１、３とも截頭円錐形状にして、且傾斜角度が著しく小さい、しかも傾斜面が平面状であった。
【０００３】
さらに、前記特許の庖丁研ぎ器ａは、前記庖丁研ぎ部８を介して砥ぎ上げられた際に発生する粉末及びその他の微粒状付着物が、前記庖丁研ぎ部８を取着する握持体１０内に貯っていた。そのため前記貯った粉末等を除去するのに、押え部２１、２１を取外し、前記握持部１０内に水等を注入して洗滌する手法がとられていた。
【特許文献１】特許第３９９１１５８号特許公報
【発明の開示】
【発明が解決しようとする課題】
【０００４】
本発明の庖丁研ぎ器が解決しようとする課題は以下のとおりである。
従来開示の特許第３９９１１５８号特許公報の庖丁研ぎ器を構成する庖丁研ぎ部ａの砥石１、３の傾斜面部が著しく小さい、いわゆる傾斜面が平面状のため、前記両砥石１、３間によって形成されるＶ形状の挿入部９に挿入された刃部の刃部１７の一側面が前記庖丁１６を前後方向にスライドさせると、研磨砥石１によって研磨されるが、傾斜面が平面状となっているので、刃先の一側面全体が同時に前記研磨砥石１の傾斜面に当って研磨され、そのため刃部７の一側面の研磨のスピードを早めることが判明した。
【０００５】
さらに前記特許の庖丁研ぎ器ａは、砥石形状がＶ型の直線をしているがために、両砥石間の隙間によってこする度に不快な音がしていた。
【０００６】
しかるに本発明は、両砥石を外側方に稍膨出する曲線形状にして、庖丁の刃先が当たる部分を極めて狭くして前記砥石に密着して研がれるため、まるで天然砥石で研ぐと同じ様な感じで研ぐことができる。
【０００７】
また従来の庖丁研ぎ器と両砥石によって形成されるハイレグ曲線形状の庖丁嵌挿部を有する研ぎ器とも、軸杆の中心部の穴の周囲で刃付をするものであり、前記穴の円周が長ければ長期間使用出来ることが可能であることが判明している。しかし穴を大きくすることは砥石を大きくするため非常に安定を欠くこととなる。
【０００８】
そこで本発明は、前記した利点を生かすために、軸杆受けにがた付き防止の弁を付けたことによって、飛躍的に品質向上に役立った。
【０００９】
さらに本発明の砥石は、庖丁の薄い刃先をえぐるように削り落したので、庖丁の切れ味が極めて良好となった。また本発明は、庖丁の刃先が、研ぎ器を使い続け研ぐことによって、次第に厚くなる従来品と異なり、使い込んでいくと少しづつ庖丁の刃の上部へと当るようになり、常に庖丁の刃先が一定の厚さを保持するようにした。そのため本発明は、従来品のように、庖丁の刃先が厚くなれば切れ味が鈍ると言う欠点が解消された。
【００１０】
また前記開示の特許の庖丁研ぎ器は、庖丁研ぎ時に削り落ちた庖丁の材料や砥石の表面に付着のコーティング材の一部が庖丁の研ぎ時に落下して握持体内に貯っても、前記握持体の下方底部に嵌脱自在にセットした下方蓋体を取り外すことによって、極めて確実且迅速に除去できると共に、庖丁研ぎ器を何時までも衛生的に確保できるようにした。
【００１１】
さらに本発明の庖丁研ぎ器を開発するに至った趣旨は下記のとおりである。
【００１２】
割烹及び寿司屋さんの板前さんらが、日常使っている庖丁は、指を触れると切れるほどに鋭角に刃付がされている。他方安全剃刃は、薄い鋼に鋭角な刃を付けていて切れることは何人でも判る。しかし鉈や鉞の刃は、丸刃の刃であって、叩き付けて使用するために、鋭角では刃が欠けるので、これを防ぐため丸刃に刃付けがなされている。鉈、庖丁、剃刃の刃部１ｍｍ程度を写真に写し取り、一般の方々に見せても、１ｍｍだけでは判らないが全体を見ることにより判別できるのが実情である。
【００１３】
そして他の刃物類の刃付の一例として、市販のダイヤのヤスリで庖丁の刃先を軽くなぞるだけで、刃が付くと宣伝している。前記の刃付は確かに刃は付くが丸刃であるため、すぐに切れ味が落ることが判明している。さらに紙にペンで横に曲線を書き二度三度となぞって見ると判る。必らず線が二本三本となる所が出る。これが刃物を丸刃にする原因である。年季の入った職工さんの話で、ヤスリ１０年と言われた。平にヤスリ賭けができるまでは１０年苦労するとのことである。
【００１４】
本発明のハイレグ曲線庖丁研ぎ器の特長は、割烹の板前さんらが１０分程度庖丁を研ぐ時間を僅か２、３秒で時間をかけた研ぎ方と全く遜色ない研ぎ仕上げを実現したものである。
【００１５】
さらに本発明の研ぎ器は、一般の家庭のみならず、レストラン、料亭各飲食店関係の方々が、使用するために、どうしたならば研ぐ庖丁よりも切れると云われるような研ぎ器の開発に苦心したものである。
【課題を解決するための手段】
【００１６】
上記課題を解決するための手段として、請求項１記載の発明は、原型がハガネ材で、且表面部２もしくは傾斜面部３にダイヤモンド粉末をコーティングする截頭円錐形状にして、且前記傾斜面部３の傾斜角度が外側方に稍膨出する曲線形状の研磨砥石１と、原型がハガネ材で、且表面部５に超硬クロームメッキ処理を施した截頭円錐形状にして、且傾斜面部６の傾斜角度が外側方に稍膨出する曲線形状のゲージとなる砥石４とを形成し、前記両砥石１、４を対向状にセットし、且セットによって形成される前記両砥石１、４の稍膨出する傾斜面部３、６との間に形成されるハイレグ曲線形状の庖丁嵌挿部２０を有する庖丁研ぎ部ａを、握持体ｂ内の支持部８に握持部ｂの長手方向に対し若干の傾斜角度をもって回転自在に装着せしめることを特徴とする庖丁研ぎ器である。
【００１７】
上記課題を解決するための手段として、請求項２記載の発明は、前記庖丁研ぎ部ａの両砥石１、４を取着する握持部ｂの嵌挿部９付き支持部８の間は、切欠状の孔部１０を設け、且前記孔部１０を遮蔽する下方蓋部ｃを前記握持体ｂに嵌脱自在に取着する庖丁研ぎ器である。
【００１８】
上記課題を解決するための手段として、請求項３記載の発明は、前記庖丁研ぎ部ａの前記両砥石１、４は、前記傾斜面部３、６を対向状にして、且前記両砥石１、４の中心に軸杆７を貫通せしめ、前記軸杆７に前記両砥石１、４の裏面部１１、１２に密着するようにナット１３、１３ａを螺入して前記両砥石１、４を固着せしめる庖丁研ぎ器である。
【００１９】
上記課題を解決するための手段として、請求項４記載の発明は、前記庖丁研ぎ部ａは、前記両砥石１、４の軸杆７を前記握持部ｂの長手方向に対し３０度前後の角度で右肩上りとして回動自在に取着せしめる庖丁研ぎ器である。
【００２０】
上記課題を解決するための手段として、請求項５記載の発明は、前記庖丁研ぎ器を構成する握持体ｂと、この握持体ｂの上方にスライドする両押え部２３、２３が、側面よりみて截頭三角のピラミッド形状にする庖丁研ぎ器である。
【００２１】
上記課題を解決するための手段として、請求項６記載の発明は、前記庖丁研ぎ部ａの軸杆７を嵌挿する支持部８に、前記軸杆７のがた付き防止弁９ａを突設せしめる庖丁研ぎ器である。
【発明の効果】
【００２２】
請求項１の本発明は、原型がハガネ材で、且表面部もしくは傾斜面部にダイヤモンド粉末をコーティングする截頭円錐形状にして、且前記傾斜面部の傾斜角度が外側方に稍膨出する曲線形状の研磨砥石と、原型がハガネ材で、且表面部に超硬クロームメッキ処理を施した截頭円錐形状にして、且傾斜面部の傾斜角度が外側方に稍膨出する曲線形状のゲージとなる砥石とを形成し、前記両砥石を対向状にセットし、且セットによって形成される前記両砥石の稍膨出する傾斜面部との間に形成されるハイレグ曲線形状の庖丁嵌挿部を有する庖丁研ぎ部を、握持体内の支持部に握持部の長手方向に対し若干の傾斜角度をもって回転自在に装着せしめる庖丁研ぎ器なので、傾斜面部の傾斜角度が外側方に稍膨出する曲線形状の両砥石によって形成の庖丁研ぎ部の庖丁嵌挿部内に庖丁の刃先を挿入し前後方向に前記庖丁を移動すると、庖丁の刃先が当る部分が従来のものに比し極めて狭くし、前記砥石に密着して研がれ、まるで天然砥石で研くのと全く同じ感触で挿入した庖丁の刃先部と、刃先部の稍上方部のみを短時間で且確実に研ぎ上げる利点がある。
【００２３】
さらに本発明は、研磨砥石を外側方に稍膨出する曲線形状として、刃先部を研ぐようにしたので、前記研磨砥石の摩耗度は従来品に比し著しく減少せしめた。
【００２４】
請求項２の本発明は、前記庖丁研ぎ部の両砥石を取着する握持部の嵌挿部付き支持部の間は、切欠状の孔部を設け、且前記孔部を遮蔽する下方蓋部を前記握持体に嵌脱自在に取着する庖丁研ぎ器なので、庖丁研ぎ時に発生した研ぎくずや庖丁に付着した塵埃等が握持部内に貯っても、前記下方蓋部を嵌脱させることによって、容易に除去できると共に、何時も衛生的にしておける利点がある。
【００２５】
請求項３の本発明は、前記庖丁研ぎ部の前記両砥石は、前記傾斜面部を対向状にして、且前記両砥石の中心に軸杆を貫通せしめ、前記軸杆に前記両砥石の裏面部に密着するようにナットを螺入して前記両砥石を固着せしめる庖丁研ぎ器なので、前記請求項１又は同２に記載の発明と同じ効果を有している。
【００２６】
請求項４の本発明は、前記庖丁研ぎ部は、前記両砥石の軸杆を前記握持部の長手方向に対し３０度前後の角度で右肩上りとして回動自在に取着せしめる記載の庖丁研ぎ器なので、前記請求項１又は同２又は同３に記載の発明と同じ効果を有している。
【００２７】
請求項５の本発明は、前記庖丁研ぎ器を構成する握持体と、この握持体の上方にスライドする両押え部が、側面よりみて截頭三角のピラミッド形状にする庖丁研ぎ器なので、安定性が良好で研ぎ作業がしやすい利点を有している。
【００２８】
さらに、両押え部が截頭三角のピラミッド形状をしているため、庖丁が元まで十分に研ぎ上げることができた。
【００２９】
請求項６の本発明は、前記庖丁研ぎ部の軸杆を嵌挿する支持部に、前記軸杆のがた付き防止弁を突設せしめる庖丁研ぎ器なので、軸杆が浮くことなく、且がた付くこともなく庖丁の研ぎ作業をスムーズに確実に研ぎ上げることができる。
【発明を実施するための最良の形態】
【００３０】
請求項１〜６に記載の発明に関する実施の形態は共通しているので以下のとおり一括して説明する。
【００３１】
図面において、ａ庖丁研ぎ器を構成し、本発明の要部となる庖丁研ぎ部である。以下その具体的構成を説明する。
【００３２】
前記庖丁研ぎ部ａは、２つの砥石１、４と軸杆７とナット１３、１３ａとを組立てた構成である。
【００３３】
前記２つの砥石１は、研磨砥石であってその構成は、原型がハガネ材で、且表面部２もしくは傾斜面部３にダイヤモンド粉末をコーティングした截頭円錐形状にして、且前記傾斜面部３の傾斜角度が外側方に稍膨出する曲線形状をしている。従って従来の研磨砥石は、前記傾斜面部３に対応する傾斜面部が平面状であるとの対象的に構造上著しく差異がある。
【００３４】
さらに他方のゲージとなる砥石４について説明すると以下のとおりである。
【００３５】
この砥石４も、原型がハガネ材であり、且表面部５に超硬クロームメッキ処理を施した截頭円錐形状にして、且傾斜面部６の傾斜角度が外側方に稍膨出する曲線形状をもって形成せしめた構成である。
【００３６】
そして、前記両砥石１、４は前記各傾斜面部３、６が対向状にして、且両砥石１、４の中心をステンレス資材製の軸杆７をもって貫通せしめる。そのとき両砥石１、４間には、庖丁の刃部を研ぐとき庖丁が挿入するＶ形状にして、且ハイレグ曲線形状をもって形成される庖丁挿入部２０が形成される。
【００３７】
そして、前記軸杆７の左右両サイドよりナット１３、１３ａを螺入し前記両砥石１、４の裏面部１１、１２に密着せしめて前記両砥石１、４を固着する。前記両砥石１、４は左側方にゲージ砥石４を右側方に研磨砥石１を配置し組立てる。
【００３８】
以上が庖丁研ぎ部ａの構成である。
【００３９】
つぎに前記庖丁研ぎ部ａを回転自在に組立て取着する長手形状の細長い握持体ｂの実施につき説明すると以下のとおりである。
【００４０】
前記握持体ｂは所定の高さを有し、中央部には前記庖丁研ぎ部ａの軸杆７の左右両サイドを回転自在に支持する若干傾斜する嵌挿部９を有する支持部８、８を形成する。そして前記両支持部８、８の間には、前記庖丁研ぎ部ａが嵌挿可能な形状の孔部１０を形成する。前記両支持部８、８は、従来の軸杆を受けていた底部から突状に固定していた構造を、横壁方式（立上り方式）に改良した。
【００４１】
さらに前記支持部８、８には、前記庖丁研ぎ部ａの軸杆７が、庖丁研ぎ作業中にがたつかないようにするため、前記嵌挿部９にがた付き防止弁９ａを形成する。そのため片側だけをこすっても、砥石の浮きを防止し研ぎ作業を円滑にした。
【００４２】
つぎに下方蓋部ｃの実施につき説明する。
【００４３】
前記下方蓋部ｃは、前記庖丁研ぎ部ａよりも若干大き目に形成し、前方部と後方部の端縁部１４、１４に、前記握持体ｂの底部１０ａ、１０ａに係止する係止部１５、１５を突設する。
【００４４】
また前記係止部１５、１５より掃除をするとき、手指に引掛りやすい突出状の引掛け部１５ａ、１５ａを形成する。
【００４５】
さらに前記下方蓋部ｃの左側方部と右側方部に庖丁ｈや砥石１、４の削り粉末の飛散を防止する飛散防止部１６、１６を形成する。
【００４６】
前記引掛け部１５ａ、１５ａは、前記下方蓋部ｃの構成以外に、第２実施例として、前記飛散防止部１６、１６より外側方に水平状に突設してもよい。
【００４７】
前記のような構成の下方蓋部ｃは、図１８のように前記庖丁研ぎ部ａの下方部と、握持体ｂ内に形成の前記嵌挿部９を有する支持部８、８とを被覆して、前記握持体ｂの底部１０ａ、１０ａに前記下方蓋部ｃの係止部１５、１５を引掛け組立てる。その際前記引掛け部１５、１５は、前記握持体ｂの内側方に飛出状態となって組立てられる。
【００４８】
前記のように組立てられた下方蓋部ｃを掃除のため前記握持体ｂから取出すときは、前記引掛け部１５ａ、１５ａに手指を引掛け押圧れば簡単に取出しができる。
【００４９】
前記の構成からなる下方蓋部ｃを前記握持体ｂの底部１０ａ、１０ａに嵌着する。
【００５０】
そして庖丁研ぎ終了した後は、この下方蓋部ｃを離脱し洗滌し、且前記握持体ｂの内部は、乾いた布や古い歯刷子等で掃除をし、両砥石部分は、水をつけない。水洗いは前記下方蓋部ｃのみである。
【００５１】
前記のように水をつけないため、錆ることがないので前記砥石のダイヤ部分が完全に摩耗して無くなるまで清潔に使用することができる。
【００５２】
前記庖丁研ぎ部ａと両支持部８、８との関係は、前記両砥石１、４の軸杆７と砥石１、４とを前記握持体ｂの長手方向に対し右肩上り状態とする３０度前後の角度で回動自在に取着せしめるようにする。
【００５３】
そして前記庖丁研ぎ部ａを収納する握持体ｂ内に貯水はしない。
【００５４】
さらに前記握持体ｂの前後側壁部１８、１９に、前記両砥石１、４に形成のＶ形状挿入部２０に庖丁ｈの刃部３１が挿入しても、接触しないように夫々凹部３４を形成する。
【００５５】
前記庖丁研ぎ部ａと庖丁ｈとの関係は、図１３に図示するように、庖丁ｈを研ぐときは、前記庖丁ｈが握持体ｂの長手方向に対し、直角状となるようにして研ぐものである。
【００５６】
さらに庖丁研ぎ部ａを装着せしめた握持体ｂ中、前記研ぎ部ａの両サイドに、雌ネジを設けた所定高さの固定部２１、２１を立設する。
【００５７】
前記両固定部２１、２１の頂部に載置し、スライドする細長孔２２、２２を有し、前記両砥石１、４の高さよりも若干高い押え部２３、２３を前記握持体ｂの上方部にスライド自在に載置する。
【００５８】
前記押え部２３、２３の形状は、上方部を截頭する截頭形状の平面とし、前記握持体ｂの上面部に載置したときは、截頭三角形状の押え部２３、２３と前記握持体ｂとが一体となって、ピラミッド形状を形成する。そのため従来の四角形状庖丁研ぎ器は、安定性が悪かった点を改良した。
【００５９】
さらに截頭にして、且幅員を漸次狭く形成した前記押え部２３、２３によって、庖丁ｈが元まできちんと研げるようにした。
【００６０】
前記細長孔２２、２２より前記固定部２１、２１の雌ネジに頭部２４ａ付きボルト２４を螺入して前記押え部２３、２３のスライドを調節する。
【００６１】
そして前記押え部２３、２３の対向する端部３０、３０は、前記握持体ｂの長手方向に対し直角状にて形成する。
【００６２】
前記両押え部２３、２３は、研ぐ際に挿入部２０に挿入した庖丁ｂの厚さによって庖丁ｈの両側面の押えを微調整する。
【００６３】
本発明の庖丁研ぎ部ａは、図１、２、４等の如く所定の傾斜角度をもって支持部８の凹部９間に装着し組立てられている。その理由は通常の方が右利きのため利用しやすくした。
【００６４】
さらに、前記握持体ｂは、底面部２５に滑り止め用脚部２６を形成する。
【００６５】
また庖丁ｈを研ぐときの手順について説明する。
【００６６】
左手で握持体ｂの左側方部を握持した後右手で庖丁ｈを握って、前記研ぎ部ａの両砥石１、４の挿入部ｈに庖丁ｈの刃部３１を挿入する。そして両押え部２３、２３の端部３０、３０同士を庖丁ｈの両側面部に若干の隙間を設けて接近させ両押え部２３、２３を固定させる。
【００６７】
つぎに右手で握持中の庖丁ｈの柄を左側方に押し付つけると、ゲージとなっている砥石４の傾斜面部６に庖丁ｈの左側面部が密着し、反対側の前記庖丁ｈの右側面部と刃部が、右側方の研磨砥石１の傾斜面部３に密着する。
【００６８】
前記の状態を保持しながら右手で握ったままの庖丁ｈを２〜３回往復運動をするだけで切れ味の良い状態で刃は研ぎ上る。その際、前記庖丁ｈの右側方の刃先部３１ａと刃先部３１ａより稍上方部の部位が主としてハイレグ曲線形状に膨んでいる研磨砥石１の傾斜面部３によって、スライドした庖丁ｈが前記の指摘した部分だけが研磨される。そのため切れ味のすぐれた刃先部３１ａと刃先部３１ａの稍上方部のみが極めて簡単且容易に研ぐことができる。
【００６９】
その後庖丁ｈを庖丁挿入部２０から抜き、握持体ｂの位置を置き換えてやる。即ち左手で握持していた握持体ｂを右側方にし、右側方に位置していた握持体ｂを左側方に位置させる。
【００７０】
前記のように置き換え終了後左手で握持体ｐを握持し、庖丁ｈを前記挿入部２０に再度嵌挿させ、手元側に１回引くと、かえりが除去され庖丁ｈの研ぎが終了する。
【図面の簡単な説明】
【００７１】
【図１】本発明庖丁研ぎ器の斜視図である。
【００７２】
【図２】同研ぎ器の底面図である。
【００７３】
【図３】同研ぎ器の平面図である。
【００７４】
【図４】同研ぎ器の正面図である。
【００７５】
【図５】同研ぎ器を構成する握持体の平面図である。
【００７６】
【図６】同握持体の正面図である。
【００７７】
【図７】同握持体の底面図である。
【００７８】
【図８】同研ぎ部の正面図である。
【００７９】
【図９】同蓋部の平面図である。
【００８０】
【図１０】同蓋部の右側面図である。
【００８１】
【図１１】同蓋部の正面図である。
【００８２】
【図１２】同蓋部の正面図である。
【００８３】
【図１３】同要部の一部切欠側面図である。
【００８４】
【図１４】同庖丁を挿入した状態の一部切欠平面図である。
【００８５】
【図１５】同出刃庖丁の研ぎ状態を示す傾斜図である。
【００８６】
【図１６】菜切り庖丁の使用状態を示す斜視図である。
【００８７】
【図１７】同第２実施例の下方蓋部を組込んだ庖丁研ぎ器の傾斜図である。
【００８８】
【図１８】図１７の庖丁研ぎ器の底面部である。
【００８９】
【図１９】下方蓋部の第２実施例を示す平面部である。
【００９０】
【図２０】図１９の下方蓋部の正面部である。
【００９１】
【図２１】図１９の下方蓋部の右側面である。
【００９２】
【図２２】図１９の下方蓋部の端面図である。
【符号の説明】
【００９３】
ａ        庖丁研ぎ部
ｂ        握持体
ｃ        下方蓋部
ｈ        庖丁
１        砥石
２        表面部
３        傾斜面部
４        砥石
５        表面部
６        傾斜面部
７        軸杆
８        支持部
９        嵌挿部
９ａ      がた付き防止弁
１０      孔部
１０ａ    底部
１１      裏面部
１２      裏面部
１３      ナット
１３ａ    ナット
１４      端縁部
１５      係止部
１５ａ    引掛け部
１６      飛散防止部
１８      前後壁部
１９      後側壁部
２０      挿入部
２１      固定部
２２      細長孔
２３      押え部
２４      ボルト
２４ａ    頭部
２５      底面部
２６      脚部
３０      端部
３１      刃部
３１ａ    刃先部
【図１】
2010110885.tif 000003
【図２】
2010110885.tif 000004
【図３】
2010110885.tif 000005
【図４】
2010110885.tif 000006
【図５】
2010110885.tif 000007
【図６】
2010110885.tif 000008
【図７】
2010110885.tif 000009
【図８】
2010110885.tif 000010
【図９】
2010110885.tif 000011
【図１０】
2010110885.tif 000012
【図１１】
2010110885.tif 000013
【図１２】
2010110885.tif 000014
【図１３】
2010110885.tif 000015
【図１４】
2010110885.tif 000016
【図１５】
2010110885.tif 000017
【図１６】
2010110885.tif 000018
【図１７】
2010110885.tif 000019
【図１８】
2010110885.tif 000020
【図１９】
2010110885.tif 000021
【図２０】
2010110885.tif 000022
【図２１】
2010110885.tif 000023
【図２２】
2010110885.tif 000024